(57)【要約】      （修正有）【課題】ブロアによる刈草断片の回収を簡単化できる草集め具を提供する。【解決手段】草集め具１は左右方向に延びた前端辺及び後端辺と前後方向に延びた左端辺及び右端辺を有する底板２と、底板２の前端辺を除く左右端辺及び後端辺から立ち上がるように設けられて底板上の空間をコ字状に囲むネット部材１０とを備えている。ネット部材１０の左右側壁及び背面壁は一体化されており、底板２に対し立ち上がり姿勢と伏せた姿勢に折り曲げ自在に形成されている。底板２の後端辺側には引き手３０が設けられている。【選択図】図２
0003209437.tif 000002
【実用新案登録請求の範囲】
【請求項１】
左右方向に延びた前端辺及び後端辺と前後方向に延びた左端辺及び右端辺を有する方形状または台形状の底板と、
底板の前端辺を除く左右端辺及び後端辺から立ち上がるように設けられて底板上の空間をコ字状に囲むネット部材と、
を備えたことを特徴とする草集め具。
【請求項２】
ネット部材の左右側面部び後面部は一体化されており、底板に対し立ち上がり姿勢と伏せた姿勢に折り曲げ自在に形成されていること、
を特徴とする請求項１記載の草集め具。
【請求項３】
底板の後端辺側に引き手を設けたこと、
を特徴とする請求項１または２記載の草集め具。
【考案の詳細な説明】
【技術分野】
【０００１】
本考案は草集め具に係り、とくに刈草断片や落ち葉をブロワで吹き集めて回収する場合に好適な草集め具に関する。
【背景技術】
【０００２】
従来、道路脇の植栽や車道・歩道分離帯の植栽に茂った雑草を刈払い機で草刈りしたあと、大きな刈草は熊手、ホウキで集め袋に入れて回収している。このとき、図１（１）に示す如く道路４０にはまだ多数の刈草断片４１、４１、・・が散在しているが、これらの刈草断片４１、４１、・・は道路４０に沿って一方向にブロワ５０で吹き集めて回収するようにしていた。けれども、ブロワ５０で吹き集めた刈草の山は作業が進むに連れて次第に大きくなって行き、吹き動かすのが難しくなって、回収場所まで到達するのに時間が掛かっていた（図１（２）の符号６０、図１（３）の符号６１参照）。
【考案の概要】
【考案が解決しようとする課題】
【０００３】
本考案は上記した従来技術の問題に鑑み、ブロアによる刈草断片の回収を簡単化できる草集め具を提供することを、その目的とする。
【課題を解決するための手段】
【０００４】
請求項１記載の考案では、
左右方向に延びた前端辺及び後端辺と前後方向に延びた左端辺及び右端辺を有する方形状または台形状の底板と、
底板の前端辺を除く左右端辺及び後端辺から立ち上がるように設けられて底板上の空間をコ字状に囲むネット部材と、
を備えたことを特徴としている。
請求項２記載の考案では、
ネット部材の左右側面部び後面部は一体化されており、底板に対し立ち上がり姿勢と伏せた姿勢に折り曲げ自在に形成されていること、
を特徴としている。
請求項３記載の考案では、
底板の後端辺側に引き手を設けたこと、
を特徴としている。
【考案の効果】
【０００５】
本考案によれば、地面に散在した刈草断片をブロワで吹きながら前方に置いた草集め具の中に吹き入れ、草集め具の所まで済んだら、草集め具を前方に置き直して、再び地面に散在した刈草断片をブロワで吹きながら前方に置いた草集め具の中に吹き入れるという作業を繰り返すことで、簡単に刈草断片の回収ができる。
【図面の簡単な説明】
【０００６】
【図１】従来の刈草断片の回収方法の説明図である。
【図２】本考案の一実施例に係る草集め具の外観斜視図である（実施例１）。
【図３】図２の草集め具の形態変化の説明図である。
【図４】図２の草集め具の使用方法の説明図である。
【考案を実施するための最良の形態】
【０００７】
以下、本考案の最良の形態を実施例に基づき説明する。
【実施例１】
【０００８】
図２、図３を参照して本考案の一実施例を説明する。図２は本考案に係る草集め具の外観斜視図、図３は草集め具の形態変化の説明図である。
図２において、１は前方及び上方の開いた箱形の草集め具であり、この内、２は方形板状でプラスチック製の底板である。底板２は左右方向に延びた前端辺３及び後端辺４と前後方向に延びた左端辺５及び右端辺６を有している。なお、底板２は台形板状としても良い。１０は底板２の前端辺３を除く左右端辺５、６及び後端辺４から立ち上がるように設けられて底板２の上の空間周囲をコ字状に囲むプラスチック製のネット部材である。
【０００９】
ネット部材１０の左側面部１１、右側面部１２、後面部１３には底板２との境界に沿って山折りの折れ線２１、２２、２３が形成されている。また、左側面部１１の後端縁と後面部１３の左端縁の境界に山折りの折れ線２４が形成されており、同様に右側面部１２の後端縁と後面部１３の右端縁の境界に山折りの折れ線２５が形成されている。また、左側面部１１の内、後端縁の下隅から斜め上方に谷折りの折れ線２６、右側面部１２の内、後端縁の下隅から斜め上方に谷折りの折れ線２７が形成されている。ネット部材１０は折れ線２１乃至２７で折り曲げ自在に形成されており、これらの折れ線２１乃至２７を折り曲げていくことで、ネット部材１０の左側面部１１、右側面部１２、後面部１３が底板２の上に伏した畳んだ状態とできる（図３（１）、（２）参照）。反対に、折れ線２１乃至２７の折り曲げを元に戻すと、ネット部材１０の左側面部１１、右側面部１２、後面部１３が底板２の左右端辺５、６及び後端辺４から立ち上がった姿勢となる（図２参照）。
【００１０】
底板２の後端辺４には左右両側から引き手３０が取着されており、作業者が引き手３０を掴み、引っ張ることで地面の上に置かれた草集め具１を移動可能になっている。
【００１１】
図４は草集め具の使用方法の説明であり、以下、図４を参照して上記した実施例の作用を説明する。
図４（１）の地面４０の上にＡ点からＡ’点まで散在した多数の刈草断片４１をブロア５０で吹きながら回収したい場合、Ａ−Ａ’を例えば３つの収集範囲ａ、ｂ、ｃに分ける。
作業者はまず、草集め具１のネット部材１０の折り曲げを展ばして底板２の左右端辺５、６、後端辺４から立ち上げた状態とし（図２参照）、収集範囲ａの一番先の端ａ’の位置に底板２の前端辺３をＡ側に向けて地面４０の上に置いておく（図４（１）参照）。
そして、収集範囲ａの手前側の端Ａからブロア５０により、地面４０の上に散在した刈草断片４１をＡ’の方向に吹きながら収集範囲ａの先の端ａ’に集めて行き、草集め具１の前端辺３の側から底板２とコ字状のネット部材１０で囲まれた空間の中に入れる（図４（２）参照）。ブロア５０で飛ばされた刈草断片４１はネット部材１０に引っ掛かって底板２の上に溜まる。ブロア５０から噴き出した風はネット部材１０を通り抜けるので、草集め具１が不用意に移動したり、向きが変わったりすることはない。
【００１２】
収集範囲ａの刈草断片４１を全て草集め具１の中に吹き集めたら、草集め具１の引き手３０を引いて移動し、次の収集範囲ｂの一番先の端ｂ’の位置に底板２の前端辺３をＡ側に向けて地面４０の上に置いておく（図４（３）参照）。
そして、収集範囲ｂの手前側の端ａ’からブロア５０により、地面４０の上に散在した刈草断片４１をＡ’の方向に吹きながら収集範囲ｂの先の端ｂ’に集めて行き、草集め具１の前端辺３の側から底板２とコ字状のネット部材１０で囲まれた空間の中に入れる（図４（４）参照）。ブロア５０で飛ばされた刈草断片４１はネット部材１０に引っ掛かって底板２の上に溜まる。
【００１３】
収集範囲ｂの刈草断片４１を全て草集め具１の中に吹き集めたら、草集め具１の引き手３０を引いて移動し、次の収集範囲ｃの一番先の端Ａ’の位置に底板２の前端辺３をＡ側に向けて地面４０の上に置いておく（図４（５）参照）。
そして、収集範囲ｃの手前側の端ｂ’からブロア５０により、地面４０の上に散在した刈草断片４１をＡ’の方向に吹きながら収集範囲ｃの先の端Ａ’に集めて行き、草集め具１の前端辺３の側から底板２とコ字状のネット部材１０で囲まれた空間の中に入れる（図４（６）参照）。ブロア５０で飛ばされた刈草断片４１はネット部材１０に引っ掛かって底板２の上に溜まる。
以上の如くして、地面４０のＡ−Ａ’に散在していた刈草断片４１を草集め具１の中に溜めたら、袋に詰めて回収車に乗せる。作業後、草集め具１は図３（２）の状態に折り畳むことで、かさばらずに運搬及び保管することができる。
【００１４】
この実施例によれば、地面４０に散在した刈草断片４１をブロワ５０で吹きながら前方に置いた草集め具１の中に吹き入れ、草集め具１の所まで済んだら、引き手３０を引いて草集め具１を前方に置き直して、再び地面４０に散在した刈草断片４１をブロワ５０で吹きながら前方に置いた草集め具１の中に吹き入れるという作業を繰り返すことで、簡単に刈草断片４１の回収ができる。
同様に、地面に落ちた落ち葉も簡単に回収ができる。
【００１５】
なお、上記した実施例では底板を方形状とした例を挙げたが、底辺を前端辺、上辺を後端辺とした台形状としても良い。
【産業上の利用可能性】
【００１６】
本考案は、地面に散在した刈草断片や落ち葉をブロアで吹き集めながら回収する回収具に適用可能である。
【符号の説明】
【００１７】
１  草集め具
２  底板
１０  ネット部材
３０  引き手
【図１】
0003209437.tif 000003
【図２】
0003209437.tif 000004
【図３】
0003209437.tif 000005
【図４】
0003209437.tif 000006